(57)【要約】【課題】搬入路や取り付け場所の制限を受けにくく、製造及び取り付けにかかる工数を削減することができる空気調和機を提供する。【解決手段】室内側送風機３と、室内側熱交換器４と、室内側送風機３と室内側熱交換器４とが内装された室内側本体ケース１１とを有する室内ユニット１と、室外側送風機５と、室外側熱交換器６と、室外側送風機５と室外側熱交換器６とが内装され、室内側本体ケース１１と独立した室外側本体ケース２１とを有する室外ユニット２とを備え、室内ユニット１と室外ユニット２とが接続／分離可能である空気調和機Ａ。【選択図】図１
2012117755.tif 000002
【特許請求の範囲】
【請求項１】
室内空気を吸込むとともに吹出す室内側送風機と、前記室内側送風機で吸込まれた空気と内部を流れる冷媒との間で熱交換する室内側熱交換器と、前記室内側送風機と前記室内側熱交換器とが内装された室内側本体ケースとを有する室内ユニットと、
室外空気を吸込むとともに吹出す室外側送風機と、前記室外側送風機で吸込まれた空気と内部を流れる冷媒との間で熱交換する室外側熱交換器と、前記室外側送風機と前記室外側熱交換器とが内装され、前記室内側本体ケースと独立した室外側本体ケースとを有する室外ユニットとを備え、
前記室内側熱交換器と前記室外側熱交換器とは冷媒が循環できるように配管で接続されるものであり、
前記室内ユニットと前記室外ユニットとが接続／分離可能であることを特徴とする空気調和機。
【請求項２】
前記室内側本体ケースは、室内側の側面に形成され室内の空気を吸込む室内側吸込口と、上部に形成され熱交換された空気を室内に吹出す室内側吹出口とを備えており、
前記室外側本体ケースは、室外側の側面に形成され室外の空気を吸込む室外側吸込口と、前記室外側吸込口と並んで形成され熱交換された空気を室外に吹出す室外側吹出口を備えており、
前記室内ユニットと前記室外ユニットとは、それぞれの背面同士を接触させて接続した第１形態と、前記室内ユニットを前記室外ユニットの上部に接続する第２形態のいずれかの形態で接続可能である請求項１に記載の空気調和機。
【請求項３】
前記第１形態において、前記室内側熱交換器を蒸発器として用いる場合、前記室内側本体ケースと前記室外側本体ケースとを貫通し、前記室内側本体ケースで発生した凝縮水を前記室外側本体ケースに導く導水路が形成されている請求項２に記載の空気調和機。
【請求項４】
前記導水路は、前記室内側本体ケースがスペーサで持ち上げられた状態で構成されている請求項３に記載の空気調和機。
【請求項５】
前記室外側本体ケースの上面には、前記室外側本体ケースの外部からの水が流入する取水口と、前記取水口から流入した水を前記室外側熱交換器の上部に流入させる配水管とを備えている請求項１から請求項４のいずれかに記載の空気調和機。
【請求項６】
前記第２形態において、前記室内側熱交換器を蒸発器として用いる場合、前記室内側本体ケースの下面には、前記取水口と上下方向に重なる貫通孔である凝縮水出口が形成されている請求項５に記載の空気調和機。
【請求項７】
前記室内側熱交換器及び前記室外側熱交換器とを接続する配管が、前記室内ユニットと前記室外ユニットとが接続された状態の時の長さよりも長く備えられており、
前記室内ユニットと前記室外ユニットとが接続状態のとき、前記配管のあまり部分が、前記室内側本体ケース又は前記室外側本体ケースの少なくとも一方に収納され、
前記室内ユニットと前記室外ユニットが分離状態のとき、前記配管が外部に引き出される請求項１から請求項６のいずれかに記載の空気調和機。
【発明の詳細な説明】
【技術分野】
【０００１】
本発明は、室内ユニットと室外ユニットとを分離可能とした空気調和機に関するものである。
【背景技術】
【０００２】
スポットエアコンや壁面埋め込み式エアコン等の用途で用いられる一体型空気調和機の構成について図面を参照して説明する。図５は従来の一体型空気調和機の一例の概略構成を示す側断面図である。一体型空気調和機Ｂは、居室Ｒｍの内部に調和空気（冷風や温風）を吹出す空調装置である。図５に示すように、一体型空気調和機Ｂは、室内側の空気と熱交換を行う室内ユニット９１と、室外側の空気と熱交換を行う室外ユニット９２とを備えている。
【０００３】
図５に示すように、室内ユニット９１は、室内側送風機９３と、室内側熱交換器９４と、室内側吸込口９１２と、室内側吹出口９１３と、室内側通風路９１４とを備えている。また、室外ユニット９２は、室外側送風機９５と、室外側熱交換器９６と、室外側吸込口９２２と、室外側吹出口９２３と、室外側通風路９２４とを備えている。
【０００４】
室内側熱交換器９４と室外側熱交換器９６とは、内部を冷媒が循環する構成を有しており、室内側熱交換器９４と室外側熱交換器９６との間で、冷媒が循環できるように配管（不図示）で接続されている。また、配管には、冷媒を圧縮する圧縮機（不図示）、膨張させる膨張機（不図示）が接続されており、一般的によく知られた冷凍機を構成している。なお、一体型空気調和機Ｂは、冷媒の流れる方向で室内側熱交換器９４と室外側熱交換器９６の一方を蒸発器（低温側）、他方を凝縮器（高温側）とすることができるが、ここでは、室内側熱交換器９４が蒸発器であり室内を冷却する冷房装置として説明する。
【０００５】
室内ユニット９１において、室内側送風機９３を駆動することで、室内の空気が室内側吸込口９１２から吸込まれる。室内ユニット９１では、室内側吸込口９１２に近接して室内側熱交換器９４が配置されており、室内側吸込口９１２から吸込まれた室内の空気は、室内側熱交換器９４を通過する。室内側熱交換器９４の内部には低温の冷媒が流れており、室内側熱交換器９４を通過する空気は、冷媒と熱交換し冷却される。冷却された空気は、室内側通風路９１４を通過し、室内側吹出口９１３より室内に吹出される。冷却された空気が室内にいきわたることで、室内全体の空気の温度が下がる。
【０００６】
また、室外ユニット９２において、室外側送風機９５を駆動することで、室外の空気が室外側吸込口９２２から吸込まれる。吸込まれた空気は室外側通風路９２４を通過し、室外側吹出口９２３の近傍に配置された室外側熱交換器９６を通過して、室外側吹出口９２３より室外に吹出される。室外側熱交換器９６には高温の冷媒が流れており、空気が室外側熱交換器９６を通過するとき、高温の冷媒と熱交換され、暖められる。暖められた空気は室外側吹出口９２３から外部に吹出される。このとき、空気が冷媒から熱を奪い、冷媒は冷却される。
【０００７】
図５に示すように、室内側通風路９１４と室外側通風路９２４とを分離するように仕切りがなされている。この仕切りによって室内側通風路９１４を流れる空気と室外側通風路９２４とが混じりあうのを抑制し、居室Ｒｍの冷房効果が低下するのを抑制している。
【０００８】
このように、室内ユニット９１と室外ユニット９２とを１つの筐体に内蔵する空気調和機の場合、室内ユニット９１を部屋内に室外ユニット９２を部屋外に配置するだけで取り付けが完了する。つまり、配管作業、冷媒の充填作業等の現場での作業が不要であり、取り付けが容易である。
【先行技術文献】
【特許文献】
【０００９】
【特許文献１】特開２００３−２４０２６１号公報
【特許文献２】特開平２−１６４４１７号公報
【発明の概要】
【発明が解決しようとする課題】
【００１０】
図６に示すように、一体型空気調和機ＢをクローゼットＣｚのような狭い空間に取り付ける場合もある。一体型空気調和機Ｂは室内ユニット９１及び室外ユニット９２が１つの筐体に備えられているので、外形が大きく、組み立てられている状態ではクローゼットＣｚの入口を通過できない場合がある。この場合、一体型空気調和機Ｂを一端ばらし、クローゼットＣｚ内に搬入した後、組み立てることで取り付ける方法もあるが、一体型空気調和機ＢのクローゼットＣｚ内のような狭い場所での組み立ては困難な場合も多い。また、筐体等のように、分解できない部材もあり搬入不可となる場合もある。
【００１１】
そこで本発明は、搬入路や取り付け場所の制限を受けにくい空気調和機を提供することを目的とする。
【課題を解決するための手段】
【００１２】
上記目的を達成するために本発明は、室内空気を吸込むとともに吹出す室内側送風機と、前記室内側送風機で吸込まれた空気と内部を流れる冷媒との間で熱交換する室内側熱交換器と、前記室内側送風機と前記室内側熱交換器とが内装された室内側本体ケースとを有する室内ユニットと、室外空気を吸込むとともに吹出す室外側送風機と、前記室外側送風機で吸込まれた空気と内部を流れる冷媒との間で熱交換する室外側熱交換器と、前記室外側送風機と前記室外側熱交換器とが内装され、前記室内側本体ケースと独立した室外側本体ケースとを有する室外ユニットとを備え、前記室内側熱交換器と前記室外側熱交換器とは冷媒が循環できるように配管で接続されるものであり、前記室内ユニットと前記室外ユニットとが接続／分離可能であることを特徴とする。
【００１３】
この構成によると、前記室内ユニットと前記室外ユニットとを接続／分離可能としているので、本発明の空気調和機は、搬入路や取り付け場所が小さくても、搬入又は取り付けが可能である。すなわち、本発明の空気調和機は、搬入路や取り付け場所の制限を受けにくい。
【００１４】
上記構成において、前記室内側本体ケースは、室内側の側面に形成され室内の空気を吸込む室内側吸込口と、上部に形成され熱交換された空気を室内に吹出す室内側吹出口とを備えており、前記室外側本体ケースは、室外側の側面に形成され室外の空気を吸込む室外側吸込口と、前記室外側吸込口と並んで形成され熱交換された空気を室外に吹出す室外側吹出口を備えており、前記室内ユニットと前記室外ユニットとは、それぞれの背面同士を接触させて接続した第１形態と、前記室内ユニットを前記室外ユニットの上部に接続する第２形態のいずれかの形態で接続可能としてもよい。
【００１５】
上記構成において、前記第１形態において、前記室内側熱交換器を蒸発器として用いる場合、前記室内側本体ケースと前記室外側本体ケースとを貫通し、前記室内側本体ケースで発生した凝縮水を前記室外側本体ケースに導く導水路が形成されていてもよい。
【００１６】
このとき、前記導水路が、前記室内側本体ケースがスペーサで持ち上げられた状態で構成されていてもよい。
【００１７】
上記構成において、前記室外側本体ケースの上面には、外部からの水が流入する取水口と、前記取水口から流入した冷却水を前記室外側熱交換器の上部に流入させる配水管とを備えていてもよい。
【００１８】
この構成において、前記室外側本体ケースの外部より給水し、前記室外側熱交換器を冷却するようにしてもよい。このように前記室外側熱交換器を水冷することで、前記室外側熱交換器での熱交換効率を高めることができ、それだけ、空気調和機の性能及び効率を高めることができる。
【００１９】
上記構成において、前記第２形態において、前記室内側熱交換器を蒸発器として用いる場合、前記室内側本体ケースの下面には、前記取水口と上下方向に重なる貫通孔である凝縮水出口が形成されていてもよい。このように構成することで、前記室内側熱交換器で凝縮された水で前記室外側熱交換器を冷却している。これにより、従来、廃棄されていた凝縮水を冷却に用いているので、空気調和機の効率を高めることができる。また、前記室内側熱交換器で凝縮した凝縮水は、低温であり、前記室外側熱交換器を効果的に冷却することが可能である。
【００２０】
上記構成において、前記室内側熱交換器及び前記室外側熱交換器とを接続する配管が、前記室内ユニットと前記室外ユニットとが接続された状態の時の長さよりも長く備えられており、前記室内ユニットと前記室外ユニットとが接続状態のとき、前記配管のあまり部分が、前記室内側本体ケース又は前記室外側本体ケースの少なくとも一方に収納され、前記室内ユニットと前記室外ユニットが分離状態のとき、前記配管が外部に引き出されるようにしてもよい。
【発明の効果】
【００２１】
本発明によると、室内ユニットと室外ユニットを接続／分離可能とすることで、搬入路や取り付け場所の制限を受けにくい空気調和機を提供することができる。
【図面の簡単な説明】
【００２２】
【図１】本発明にかかる空気調和機の概略構成を示す断面図である。
【図２】図１に示す空気調和機を分離した状態の概略断面図である。
【図３】空気調和機の他の接続状態の概略配置を示す断面図である。
【図４】本発明にかかる空気調和機の設置状態を示す概略配置図である。
【図５】従来の一体型空気調和機の一例の概略構成を示す側断面図である。
【図６】図４に示す一体型空気調和機をクローゼットに設置するときの配置図である。
【発明を実施するための形態】
【００２３】
以下に本発明の実施形態について図面を参照して説明する。なお、便宜上、部材符号及び（又は）ハッチングを省略する場合もあるが、かかる場合、他の図面を参照するものとする。図１は本発明にかかる空気調和機の概略構成を示す断面図であり、図２は図１に示す空気調和機を分離した状態の概略断面図である。図１に示すように、空気調和機Ａは、室内ユニット１と、室外ユニット２とを備えている。空気調和機Ａは図５に示す従来の一体型空気調和機Ｂと同様、居室Ｒｍの内部に調和空気（室内ユニット１内で冷媒と熱交換された冷風や温風）を吹出す空調装置である。図１において、壁ＷＬより左側が室内側で、右側が室外側であり、室内ユニット１は左側（室内側）を正面とし、室外ユニット２は右側（室外側）を正面としている。一体型空気調和機Ａは壁ＷＬに形成された貫通孔に嵌め込まれて取り付けられている。
【００２４】
室内ユニット１と室外ユニット２とは、室内側本体ケース１１の背面１１０と、同じく室外側本体ケース２１の背面２１０とがつきあわされるように接続されている。そして、室内側本体ケース１１の下部にはスペーサ７が取り付けられており、室内ユニット１と室外ユニット２との高さを調整している。
【００２５】
室内ユニット１には室内側熱交換器４が、室外ユニット２には室外側熱交換器６がそれぞれ備えられている。そして、室内側熱交換器４と室外側熱交換器６とは配管８（図２参照）で接続されており、配管８で室内側熱交換器４と室外側熱交換器６と接続することで、室内側熱交換器４と室外側熱交換器６との間を冷媒が循環する。配管８は２系統備えられており、一方には冷媒を圧縮する圧縮機（不図示）が、他方には冷媒を膨張させるキャピラリチューブ、膨張弁等の膨張器（不図示）が配置されており、蒸気圧縮冷凍サイクルの冷凍機が構成されている。すなわち、室内側熱交換器４及び室外側熱交換器６は、上記冷凍サイクルの冷凍機の一部を構成している。以下の説明において、空気調和機Ａは、室内側熱交換器４を冷凍サイクルの蒸発器（低温側）、室外側熱交換器６を凝縮器（高温側）とする冷房装置として説明する。なお、冷媒の流れ方向を変更できる構成である場合、冷媒の流れを逆にすることで、室内側熱交換器４を凝縮器、室外側熱交換器６を蒸発器とする暖房装置とすることも可能である。
【００２６】
室内ユニット１は、室内側送風機３と、室内側熱交換器４とが室内側本体ケース１１の内部に配置された構成を有している。室内側本体ケース１１は、室内側吸込口１２と、室内側吹出口１３と、室内側通風路１４とを備えている。室内側吸込口１２及び室内側吹出口１３は、それぞれ室内側本体ケース１１の正面及び上面に形成された開口である。室内側通風路１４は室内側吸込口１２と室内側吹出口１３とを連結した空気の流路となっている。
【００２７】
図１に示すように、室内側本体ケース１１の内部は、仕切り壁１５によって前後に仕切られており、室内側送風機３が仕切り壁１５に支持されている。室内側送風機３は、シロッコファンであり、仕切り壁１５に固定されたファンモータ３１と、ファンモータ３１の出力軸に固定され、出力軸の回転とともに回転するファン３２とを備えている。図１に示しているように、ファンモータ３１は仕切り壁１５を挟んで室内側通風路１４と反対側に固定されており、出力軸は仕切り壁１５を貫通して室内側通風路１４の内部に突出している。そして、ファン３２は、出力軸の室内側通風路１４に突出した部分に固定されている。ファンモータ３１が仕切り壁１５を挟んで室内側通風路１４と反対側に固定されているので、ファンモータ３１の駆動により発生する熱が室内側通風路１４を通過する空気に加えられるのを抑制することができる。また、仕切り壁１５は室内側通風路１４の側壁の一部を成している。
【００２８】
室内側熱交換器４は、内部を低温の冷媒が流れるパイプを蛇行して配置した蒸発器である。室内側熱交換器４では、空気が蛇行配置されたパイプ及びパイプに接触配置されたフィンの間を流れることで、空気と冷媒とで熱交換が行われる。室内側熱交換器４は室内側吸込口１２の正面側を覆うように配置されている。ファンモータ３１が駆動され、ファン３２が回転することで、室内側吸込口１２から空気が吸込まれる。このとき、吸込まれる空気は室内側熱交換器４を通過し、室内側熱交換器４の内部を流れる冷媒と熱交換し冷却される。冷却された空気は、室内側通風路１４を通過し、調和空気として室内側吹出口１３より室内に吹出される。
【００２９】
室内側熱交換器４の下部には、室内側熱交換器４の表面で凝縮した水（ドレン水）が溜まるドレンパン１６が備えられている。なお、ドレンパン１６は室内側本体ケース１１と一体に形成されているが、別体で形成されていてもよい。ドレンパン１６に一定量のドレン水が溜まると、ドレン水はドレンパン１６から溢れるとともに、仕切り壁１５に設けられた流路（不図示）を通って室内側本体ケース１１の背面側に流れ出す。室内側本体ケース１１の背面側下部には、ドレン水が排出されるドレン水出口１７が形成されている。なお、室内側本体ケース１１の下面は背後が下方に傾斜する構成となっており、ドレンパン１６から流入したドレン水が背面側に流れるようになっている。
【００３０】
図１に示す空気調和機Ａでは、ドレン水出口１７の外部側は室内であり、さらにドレン水出口１７の下にスペーサ７が配置されているので、ドレン水出口１７からドレン水を排出することができない。そのため、ドレン水出口１７には、栓（不図示）がされている。これにより、ドレンパン１６から流出したドレン水は室内側本体ケース１１の背面側に溜まる。室内側本体ケース１１の背面１１０には、ドレンパン１６から溢れたドレン水が一定量溜まると、ドレン水を背面側に抜くドレン水抜き孔１８が形成されている。
【００３１】
次に、室外ユニット２について説明する。室外ユニット２は、室外側送風機５と、室外側熱交換器６とが室外側本体ケース２１の内部に配置された構成を有している。室外側本体ケース２１は、室外側吸込口２２と、室外側吹出口２３と、室外側通風路２４とを備えている。室外側吸込口２２は、室外側本体ケース２１の正面上部に形成されており、室外側吹出口２３は室外側本体ケース２１の正面下部に形成されている。室外側通風路２４は室外側吸込口２２と室外側吹出口２３とを連結した空気の流路である。
【００３２】
図１に示すように、室外側本体ケース２１の内部には、仕切り壁２１１が備えられている。仕切り壁２１１は室外側本体ケース２１の下面の略中央から上方に向かって立設され、上部で前方に向かって屈曲している。室外側吸込口２２は前面の上部に形成されており、仕切り壁２１１の上部に形成されている。室外側吸込口２２は室外側通風路２４と連結している。室外側通風路２４は室外側本体ケース２１と仕切り壁２１１との間に挟まれた部分に形成された空間である。すなわち、室外側通風路２４は室外側吸込口２２との連結部分より背面２１０に向かって延び、背面２１０に沿って下方に延びている。仕切り壁２１１の室外側本体ケース２１の下面より立設している部分には、室外側送風機５が取り付けられている。そして、室外側送風機５の正面側には室外側吹出口２３が形成されており、室外側吹出口２３には室外側熱交換器６が配置されている。
【００３３】
室外側送風機５は、プロペラファンであり、仕切り壁２１１に固定されたファンモータ５１と、ファンモータ５１の出力軸に固定され、出力軸の回転とともに回転するプロペラファン５２とを備えている。なお、図示は省略しているが、仕切り壁２１１の下面より立設している部分には、空気が流通するためのスリットが形成されている。
【００３４】
室外側熱交換器６は、内部を高温の冷媒が流れるパイプが蛇行配置された凝縮器であり、蛇行配置されたパイプ及びパイプと接触配置されたフィンの間を空気が流れることで、空気と冷媒とで熱交換が行われる。ファンモータ５１を駆動し、プロペラファン５２を回転することで、室外側送風機５の周りには、背面側から前面側に向かう空気の流れが発生する。これにより、外部の空気が室外側吸込口２２から吸込まれ室外側通風路２４を通過する。そして、室外側通風路２４を通過した空気は室外側送風機５のプロペラファン５２によって、室外側吹出口２３より外部に吹出される。室外側熱交換器６は、室外側吹出口２３から吹出される空気が室外側熱交換器６を通過するように配置されている。室外側吸込口２２から吸込まれ、室外側通風路２３を通過した空気は、室外側熱交換器６を通過するとき、室外側熱交換器６の内部を流れる高温の冷媒と熱交換し、空気は加熱され、冷媒は冷却される。
【００３５】
また、図１に示しているように、室外ユニット２には、室外側熱交換器６の上部に冷却水を溜めるためのタンク２６と、タンク２６に接続する配水管２５と、室外側本体ケース２１の上面に形成され、配水管２５と連結する取水口２７とを備えている。室外ユニット２は空気調和機Ａが設置されたとき室外に配置されるものであり、室外側本体ケース２１の上面に溜まる雨水を取水口２７から配水管２５に流入させることができ、流入した雨水はタンク２６に溜まる。タンク２６に溜まった水を室外側熱交換器６のパイプの表面にかけることで、水の気化熱を利用し室外側熱交換器６での冷媒の冷却効果を高めることができる。なお、雨水を取水口２７から流入させるものを例に説明しているが、取水口２７から定期的に給水するための給水機構を備えていてもよい。また、タンク２６として、一定量以上の水が溜まると、外部に溢れ出て、室外側熱交換器６にかけるものを挙げることができる。また、冷却水による冷却が不要な場合、取水口２７を塞ぐ栓が設けられていてもよい。
【００３６】
さらに、室外側本体ケース２１は、背面２１０にドレン水流入孔２８と、下面に水抜き孔２９とを備えている。ドレン水流入孔２８は、室内ユニット１と室外ユニット２とを、背面１１０、２１０を接触させて接続したとき、室内ユニット１のドレン水抜き孔１８と重なる位置に構成されている。すなわち、ドレン水抜き孔１８とドレン水流入孔とが重なることで、ドレン水を室内側本体ケース１１から室外側本体ケース２１に導く導水路が構成される。
【００３７】
図１に示すように、スペーサ７によってドレン水抜き孔１８とドレン水流入孔２８との高さを調整している。ドレン水抜き孔１８の室内側本体ケース１１の下面からの高さよりもドレン水流入孔２８の室外側本体ケース２１の下面からの高さが高いので、ドレン水流入孔２８から室外側本体ケース２１に流入したドレン水はドレン水流入孔２８から逆流しにくい。すなわち、ドレン水抜き孔１８、ドレン水流入孔２８を通って室外側本体ケース２１に流入したドレン水は室内側本体ケース１１に逆流しにくくなっている。
【００３８】
また、水抜き孔２９はドレン水流入孔２８より流入したドレン水及び（又は）タンク２６から流出した冷却水を室外側本体ケース２１の外部に排出するための孔である。水抜き孔２９から効率よく水を排出するため、室外側本体ケース２１の下面は、水抜き孔２９に向けて下方に傾斜していることが好ましい。
【００３９】
本発明の空気調和機Ａにおいて、室内ユニット１及び室外ユニット２が、それぞれ独立した室内側本体ケース１１及び室外側本体ケース２１で囲まれているので、容易に分離することが可能である。そして、図１に示すように、空気調和機Ａが、一体型として形成される場合、冷媒配管まで組み立て、冷媒を封入した状態で出荷することができるので取り付けに特殊な技能が不要である。また、図２に示すように、空気調和機Ａが分離して形成される場合、取り付け現場での配管作業が必要となるが、冷媒用及びドレン水を排出するための配管８を通過できる孔が形成された壁ＷＬであれば取り付けが可能であり、取り付け場所の制限が減る。また、分離型にすることで一体型に比べて室内ユニット１及び室外ユニット２のそれぞれが小型であり、搬入路の制限も受けにくい。また、１つの空気調和機Ａで一体型としても分離型としても利用可能であるので、設計、製造にかかる手間と時間を大幅に減らすことができる。
【００４０】
なお、室内ユニット１と室外ユニット２とは接続した後、ねじ止めにて固定されてもよいし、分離が必要でない場合、溶接、接着等の接合方法で固定してしまってもよい。また、スナップフィット機構やベルト等の、工具を使用せずに接続、分離を行うことができる接続機構を備えていてもよい。また、分離型として搬入し、取り付け現場で図１に示すような一体型として接続してもよい。また、室内側熱交換器４と室外側熱交換器６とをつなぐ配管８の長さを余裕のある長さで形成しておき、室内ユニット１と室外ユニット２とを接続するとき、配管８の余る部分を室内側本体ケース１１及び（又は）室外側本体ケース２１の内部に収納するようにし、予め冷媒を充填した構成としてもよい。このように、配管８を構成することで、空気調和機Ａを接続状態或いは分離状態のいずれの状態で取り付ける場合でも、工場出荷時に冷媒を充填することができるとともに、現場作業を大幅に減らすことが可能である。
【００４１】
なお、図１に示す空気調和機Ａは、室外ユニット２の一部が壁ＷＬより室外に突出して配置されているが、従来の一体型空気調和機Ｂと同様に、室内ユニット１及び室外ユニット２の両方が壁ＷＬよりも居室Ｒｍ内部に配置され、室外ユニット２の室外側吸込口２２及び室外側吹出口２３が室外に露出するようにして取り付けられていてもよい。この場合、水抜き孔２９は、室外側本体ケース２１の正面側の下部に形成し、ドレン水が室外に抜けるように形成されていることが好ましい。
【００４２】
また、空気調和機Ａが取り付けられる壁ＷＬに窓等の開口があったり、室内側に家具等の障害物が配置されていたりして、空気調和機Ａの取り付け場所が床面から離れた高所になる場合がある。本発明にかかる空気調和機Ａの場合、分離して配置することが可能であるので、室内ユニット１のみを壁ＷＬの室内側の高所に取り付け、室外ユニット２は床面と接して取り付けることが可能である。これにより、室外ユニット２の重量は床面で支持することができるので、壁ＷＬは室内ユニット１の重量を支えるだけでよく、壁ＷＬの補強が不要、或いは、必要であっても一体型のものに比べて簡易なもので足りる。
【００４３】
また、反対に壁ＷＬの室外側が通路であったり、物置であったりして室外ユニット２を床面から離れた高所に取り付ける必要があっても、室外ユニット２のみを壁ＷＬの室外側の高所に取り付け、室内ユニット１は床面に接して取り付けることが可能である。これにより、室内ユニット１の重量は床面で支持することができるので、壁ＷＬは室外ユニット２の重量を支えるだけでよく、壁ＷＬの補強が不要或いは必要であっても簡易なもので足りる。なお、室内ユニット１と室外ユニット２とを壁ＷＬの高さの異なる位置に取り付けることは、本発明の空気調和機Ａの室内ユニット１と室外ユニット２を分離した状態で取り付けるときの一例であり、これに限定されるものではない。
【００４４】
例えば、配管８が届く範囲で、室外ユニット２を壁から離して室外の床面に取り付けるようにしてもよいし、室内ユニット１を壁から離れた室内の床面或いは天井面に取り付けるようにしてもよい。なお、室内ユニット１と室外ユニット２とを分離して設置する場合、ドレン水が室内ユニット１から室外ユニット２に流れ込むように配置された配管を備えていてもよい。このとき、この配管の室内ユニット１側の接続部は、ドレン水出口１７であってもよいし、ドレン水抜き孔１８であってもよい。また、配管の室外ユニット２側の接続部は、取水口２７であってもよいし、ドレン水流入口２８であってもよい。また、室内ユニット１が室外ユニット２の下に配置されて取り付けられる場合、室内ユニット１で発生したドレン水を、ドレン水出口１７及び（又は）ドレン水抜き孔１８から室外に排出するための配管を備えていてもよい。
【００４５】
以上示したように、本発明の空気調和機Ａでは、取り付け時に壁ＷＬや天井の形状や周囲に配置された物品による制限を受けにくい。すなわち、本発明の空気調和機Ａは、取り付け場所の制限を受けにくく、多くの場所に容易に取り付けることが可能である。また、空気調和機Ａを取り付けるとき、壁ＷＬの補強が不要或いは必要であっても簡易なものでよく、取り付けにかかる工数が削減され、取り付けにかかるコストを減らすことが可能である。
【００４６】
本発明にかかる空気調和機Ａの他の例について図面を参照して説明する。図３は図１に示す空気調和機の他の接続状態の概略配置を示す断面図である。図３に示しているように、空気調和機Ａは、室外ユニット２の上部に室内ユニット１を配置している。
【００４７】
図３に示すように、室内側本体ケース１１の下面には、ドレン水出口１７が形成されており、室外側本体ケース２１の上面には、取水口２７が形成されている。ドレン水出口１７を塞いでいる栓を外すとともに、取水口２７の栓を外し、ドレン水出口１７と取水口２７とが上下に重なるように室内ユニット１と室外ユニット２とを上下に重ねる。これにより、室内ユニット１の内部で凝縮されたドレン水が、ドレン水出口１７から取水口２７に流入し、配水管２５を通過してタンク２６に流入する。
【００４８】
タンク２６に一定量以上のドレン水が溜まると、タンク２６よりドレン水があふれ、ドレン水が室外側熱交換器６に流れる。室外側熱交換器６は室外側送風機５による空気との熱交換に加え、ドレン水による冷却も行われるので、室外側熱交換器６を効率よく冷却することができ、冷凍サイクルのサイクル効率を上げることができる。なお、ドレン水は低温の冷媒が流れる室内側熱交換器４の表面或いは冷却された空気が流れる室内側通風路１４で空気中の水分が結露したものであり低温で、冷却効果が高い。また、廃棄するドレン水を室外側熱交換器６の冷却に使用するので、別途冷却水を供給するものに比べ無駄が少なく、省エネルギである。
【００４９】
なお、室内ユニット１を室外ユニット２の上部に重ねて接続する場合、室内側本体ケース１１の背面１１０のドレン水抜き孔１８及び室外側本体ケース２１の背面２１０のドレン水流入孔２８は栓等を用いて塞がれている。また、室外側本体ケース２１の下面に形成されている水抜き孔２９が室内側に配置される場合、水抜き孔２９も栓等によって塞がれる。この場合、室外側本体ケース２１の下部に溜まった水は水抜き孔２９から抜けないが、室外側送風機５の運転によって発生する気流によって自然乾燥させてもよい。また、吸水性の高い不織布等を含む吸水部を備え、この吸水部で水を吸い上げるとともに、室外機側送風機５が発生する気流を当てて強制乾燥させてもよい。
【００５０】
このように、室内ユニット１と室外ユニット２とを適宜接続、分離させることができる空気調和機Ａでは、室内ユニット１と室外ユニット２とを分離した状態で搬入できる。これにより、空気調和機Ａは、取り付け場所や搬入路の制限を受けにくく、それだけ、多くの場所に容易に取り付けることが可能である。また、十分な大きさの取り付け場所及び搬入路が確保できている場合、予め室内ユニット１と室外ユニット２とを接続した状態で搬入、取り付けすることができるので、現場での作業を減らすことができ、作業性を挙げることができる。また、予め接続した状態で搬入する場合、組立場所（多くの場合工場）で冷媒を充填するので、現場での作業に比べて精度よく冷媒を充填することができる。また、冷媒の配管を室内ユニット１及び（又は）室外ユニット２の内部に収めるように構成することで、配管が外力により破損するのを防ぐことも可能である。
【００５１】
上記各実施形態において、タンク２６に変えて配水管２５を流れてきた水を正確に室外側熱交換器６に導くような構造の導水構造物を配置していてもよい。これによると、空気調和機Ａの運転が停止しても、タンク２６に水が残ることがない。
【００５２】
以上のように、空気調和機Ａは一体型としても分離型としても利用可能であるので、設計、製造を共通化することが可能であり、設計、製造及び取り付けに要するコスト及びエネルギを削減することが可能である。
【００５３】
また、本発明にかかる空気調和機Ａを一体型として利用する場合、少なくとも、室内ユニット１と室外ユニット２とを背面同士接触させる形態、上下に組み合わせる形態の２通りの形態をとることが可能である。そして、上述したように分離した状態でも壁ＷＬ等の取り付け場所に取り付け可能であるので、取り付け場所（壁ＷＬ）の周囲の状態（家具や開口の有無、高さ等）の制限を受けにくい。なお、上述した室内ユニットと室外ユニットの組み合わせは一例であり、これらに限定されるものではなく、室内ユニット１と室外ユニット２とが左右に並んで接続されてもよい。この場合、室内ユニット１のドレン水抜き孔１８及び室外ユニット２のドレン水流入孔２８とは、室内側本体ケース１１及び室外側本体ケース２１の互いに他のケースと接触する側面に形成されていてもよい。
【００５４】
また、空気調和機Ａでは、室内ユニット１の室内側吹出口１３が室内側本体ケース１１の上面に形成されているが、これに限定されるものではなく、正面或いは側面に形成されていてもよい。この場合、室内ユニット１には上面の制限がなくなるので、室内ユニット１を上面が天井と接触するように配置することも可能である。
【００５５】
本発明にかかる空気調和機の設置方法の他の例について詳しく説明する。図４は図１に示す空気調和機の建物内への設置例を示す図である。図４に示すような、居室Ｒｍと、内壁ＩＷで居室Ｒｍと仕切られた設置室Ｍｒを有する建物の場合、空気調和機Ａを設置室Ｍｒに設置し、空気調和機Ａの調和空気（冷風又は温風）を、ダクトＤｃを介して居室Ｒｍに送るように構成することも可能である。図４に示しているように、ダクトＤｃは一方の端部が室内ユニット１の室内側吹出口１３と接続しており、内壁ＩＷに形成された貫通孔を貫通しているとともに、他方の端部が居室Ｒｍ内に突出している。このように、空気調和機Ａを居室Ｒｍとは異なる設置室Ｍｒ内に設置することで、空気調和機Ａの動作による騒音及び（又は）振動が居室Ｒｍに進入するのを抑えることが可能である。また、空気調和機Ａが居室Ｒｍ内に配置されないので、居室Ｒｍのレイアウトの自由度を高めることが可能である。
【００５６】
なお、内壁ＩＷには、ダクトＤｃが貫通する孔以外に、貫通孔が形成されていてもよい。居室Ｒｍ内の空気がこの貫通孔から設置室Ｍｒに流入し、空気調和機Ａに吸込まれるとともに、冷媒と熱交換して調和空気としてダクトＤｃを介して居室Ｒｍに戻る。これにより、空気調和機Ａの空調効率が高くなる。なお、図４に示す状態では、１台の空気調和機Ａで居室Ｒｍに調和空気を送っているが、これに限定されるものではなく、複数台の空気調和機Ａで居室Ｒｍに調和空気を送るようにしてもよい。
【００５７】
さらに、設置室に配置された空気調和機Ａから複数の居室にダクトを介して、調和空気を送る構成としてもよい。このとき、設置室には複数の居室それぞれに独立して調和空気を送る１台又は複数台の空気調和機Ａが備えられていてもよく、複数の居室に対して調和空気を送る１台又は複数台の空気調和機Ａが備えられていてもよい。１台の空気調和機Ａが複数の居室に調和空気を送る場合、同時に全ての居室に調和空気を送る構成であってもよい。また、空気調和機Ａの室内側吹出口１３に接続されたダクトと各居室に連通するダクトとの間に、調和空気の流れを切り替える切替機構（切替弁等）を備えておき、切替機構を制御することで調和空気を選択された居室につながるダクトに送る構成としてもよい。
【００５８】
以上、本発明の実施形態につき説明したが、本発明の範囲はこれに限定されるものではなく、発明の主旨を逸脱しない範囲で種々の変更が可能である。
【産業上の利用可能性】
【００５９】
室内の空気と室外の空気とを熱交換することで、室内の空気の温度を調整することができる空気調和機に利用することが可能である。
【符号の説明】
【００６０】
１      室内ユニット
１１    室内側本体ケース
１１０  背面
１２    室内側吸入口
１３    室内側吹出口
１４    室内側通風路
１５    仕切り壁
１６    ドレンパン
１７    ドレン水出口
１８    ドレン水抜き孔
２      室外ユニット
２１    室外側本体ケース
２１０  背面
２１１  仕切り壁
２２    室外側吸込口
２３    室外側吹出口
２４    室外側通風路
２５    配水管
２６    タンク
２７    取水口
２８    ドレン水流入口
２９    水抜き孔
３      室内側送風機
３１    ファンモータ
３２    ファン
４      室内側熱交換器
５      室外側送風機
５１    ファンモータ
５２    プロペラファン
６      室外側熱交換器
７      スペーサ
８      配管
【図１】
2012117755.tif 000003
【図２】
2012117755.tif 000004
【図３】
2012117755.tif 000005
【図４】
2012117755.tif 000006
【図５】
2012117755.tif 000007
【図６】
2012117755.tif 000008